(57)【要約】【課題】遊技場における大当たり予告情報、リーチ演出情報等の遊技情報が遊技者に必要に応じて報知されるようにすることにより、情報過多による混乱や煩雑が避けられ、利便性が向上されるようにする。【解決手段】遊技場に設置される遊技台に個々に識別コードを付与するとともに、該遊技台のコード化された遊技情報を前記識別コードとともに無線発信する無線発信手段１２を具備してなる携帯型遊技情報受信装置。および、この無線発信手段から無線発信された遊技情報と識別コードとを受信し、該遊技情報と識別コードとを報知する報知手段２４，２５を具備する携帯型遊技情報受信装置。【選択図】図３
2005160730.tif 000002
【特許請求の範囲】
【請求項１】
遊技場に設置される遊技台に個々に識別コードを付与するとともに、該遊技台のコード化された遊技情報を前記識別コードとともに無線発信する無線発信手段を具備してなることを特徴とする遊技情報発信装置。
【請求項２】
請求項１に記載の無線発信手段から無線発信された遊技情報と識別コードとを受信し、該遊技情報と識別コードとを報知する報知手段を具備したことを特徴とする携帯型遊技情報受信装置。
【請求項３】
所望の遊技情報を選択し得る情報選択設定手段を備え、該情報選択設定手段に設定された遊技情報のみが報知手段により報知されるようにした請求項２に記載の携帯型遊技情報受信装置。
【請求項４】
遊技者が要求する遊技情報を請求項１に記載の遊技情報発信装置に無線発信する要求情報発信手段を備え、遊技者が要求した遊技情報が該遊技情報発信装置から発信されると該遊技情報が報知手段により報知されるようにしたことを特徴とする請求項２または３に記載の携帯型遊技情報受信装置。
【発明の詳細な説明】
【技術分野】
【０００１】
本発明は、パチンコ遊技場のような遊技施設において、大当たり予告やリーチ演出等の遊技情報を発信する装置および携帯型の遊技情報受信装置の構成に関するものである。
【背景技術】
【０００２】
例えば多数の遊技台が設置されるパチンコ遊技場では、大当たりが発生した遊技台を音声、電光等の報知手段によってその遊技者および周囲の遊技者に知らせることにより、遊技志向を高揚させることがなされている。また、下記特許文献１に示された遊技機演出補助装置は、島台にある複数の遊技機のうちのいずれかの遊技機に特定乱数の取得により大当たりが発生することが確定すると、その情報がその遊技者だけでなく、音声、電光等の手段によって周囲の遊技者にも報知されるようにしたものである。
【０００３】
また、大当たりを予告する演出やリーチ演出を図柄変動表示器に表示するだけでなく、効果音やＬＥＤの点滅、或いはハンドルを振動装置により微振動させること、等によって遊技者に報知し、遊技者に大当たり発生を予感させることで、興趣を増大させる遊技機も知られている。
【０００４】
また、大当たりの発生回数や発生時期、出球率等の遊技情報を遊技場にいる多くの遊技者に知らせることにより、遊技者が遊技台を選択する際の参考となるサービスを提供することも従来からなされている。
【特許文献１】特開２００３−１１７１２２号公報
【発明の開示】
【発明が解決しようとする課題】
【０００５】
ところで、上記のような遊技情報は、報知されることを希望する遊技者と、希望しない遊技者、或いはまた、特定の遊技情報のみが報知されることを希望する遊技者等がいるが、従来では遊技者に遊技情報が一様に報知されていたので、情報量が多すぎて騒がしいと感じる遊技者もあった。また、例えば上記のように島台毎に大当たり発生の予告を報知すると、大当たりしなかった遊技者が他の遊技者に大当たりを盗られたと勘違いするおそれもあり思わぬトラブルを招くこともあった。
【０００６】
そこで本発明は、遊技者が遊技情報受信装置を個々に携帯し、該遊技情報受信装置に無線通信により遊技情報が発信されるようにすることで、上記のようなトラブルの解消、および、情報過多による混乱や煩雑が避けられ、利便性が向上されるようにするものである。
【課題を解決するための手段】
【０００７】
そのために請求項１に記載した遊技情報発信装置の発明は、遊技場に設置される遊技台に個々に識別コードを付与するとともに、該遊技台のコード化された遊技情報を前記識別コードとともに無線発信する無線発信手段を具備してなることを特徴とする。
【０００８】
また請求項２に記載した携帯型遊技情報受信装置の発明は、上記無線発信手段から無線発信された遊技情報と識別コードとを受信し、該遊技情報と識別コードとを報知する報知手段を具備したことを特徴とする。
【０００９】
また請求項３に記載した発明は上記携帯型遊技情報受信装置において、所望の遊技情報を選択し得る情報選択設定手段を備え、該情報選択設定手段に設定された遊技情報のみが報知手段により報知されるようにしたことを特徴とする。
【００１０】
また請求項４に記載した携帯型遊技情報受信装置の発明は、遊技者が要求する遊技情報を上記遊技情報発信装置に無線発信する要求情報発信手段を備え、遊技者が要求した遊技情報が該遊技情報発信装置から発信されると該遊技情報が報知手段により報知されるようにしたことを特徴とする。
【発明の効果】
【００１１】
請求項１に記載の遊技情報発信装置と請求項２に記載の携帯型遊技情報受信装置によれば、遊技者は個人の必要に応じて自由に遊技情報を知ることができる。
【００１２】
請求項３に記載の発明では、諸種の遊技情報のうち自分に興味のある遊技情報のみを選択的に知ることができる。
【００１３】
請求項４に記載の発明では、遊技者の要求に応じて必要な情報を適時知ることができるようになる。
【実施例１】
【００１４】
次に本発明の実施例を遊技場に設置されるパチンコ機について説明する。図１は本発明に係るパチンコ機と遊技情報発信装置のブロック図で、１は遊技制御基板、２は図柄制御基板、３はランプ制御基板、４は音声制御基板で、該各制御基板はいずれもＣＰＵ，ＲＯＭ，ＲＡＭ，Ｉ／Ｏからなり、該遊技制御基板１には始動スイッチ５、大入賞口スイッチ６、継続スイッチ７、大入賞口ソレノイド８、普通入賞口スイッチ９，１０等が接続され、図柄制御基板２には液晶等の図柄変動表示器１１が接続されるほか、後に説明する無線発信手段１２、および、識別コード設定手段１３が接続される。また、ランプ制御基板３には装飾ＬＥＤ１４、ガラス枠ランプ１５、サイドランプ１６が接続され、音声制御基板４にはスピーカ１７が接続される。なお、１８は無線発信手段１２に接続されたアンテナである。
【００１５】
識別コード設定手段１３は遊技場に設置される多数のパチンコ機に予め個々に識別コードを付与しておくものである。また無線発信手段１２は、図柄制御基板２からこのパチンコ機の大当たり予告情報、リーチ演出情報等のコード化された遊技情報を取得し、その情報を上記識別コードとともに無線発信する。
【００１６】
一方、図２は本発明に係る携帯型遊技情報受信装置のブロック図、図３はその外観図で、該携帯型遊技情報受信装置は、アンテナ２０に接続された電波受信回路２１と、該電波受信回路の受信信号を解析するＣＰＵ，ＲＯＭ，ＲＡＭからなるマイクロコンピュータ２２と、該マイクロコンピュータ２２を所望に設定するためのスクロールキー２３ａ〜２３ｄ、決定キー２３ｅ、解除キー２３ｆ等の設定キー２３を具備している。また、２４は該マイクロコンピュータ２２の出力した情報を表示する液晶画面表示装置、２５は該マイクロコンピュータ２２からの指令信号により適宜効果音や音楽、メッセージ等を音源から選択し、これらをスピーカ２６により再生する音声再生装置で、該液晶画面表示装置２４および音声再生装置２５が遊技者への報知手段となる。また、２７は該音声再生装置から出力される低周波によって駆動される振動発生装置である。なお、該携帯型遊技情報受信装置は、携帯可能なるように、小型に構成されているとともに、駆動用の電源電池が内蔵されている。
【００１７】
そして、設定キー２３を操作することによりマイクロコンピュータ２２により情報選択設定手段が構成され、大当たり予告情報、リーチ演出情報、或いは、出玉状況等の選択画面を液晶画面表示装置２４に表示させることができる。そこで遊技者は報知を希望する情報のみを該設定キー２３を操作することにより選択設定することができる。
また、遊技場に設置された多数のパチンコ機のうち受信を希望するパチンコ機の識別コードを設定キー２３を操作することにより予め入力しておくこともできる。
【００１８】
このため、この携帯型遊技情報受信装置は、無線発信手段１２が無線発信した諸種の遊技情報のうち上記情報選択設定手段により選択された遊技情報のみを液晶画面表示装置２４に表示するとともに、スピーカ２６に所定の効果音や音楽、メッセージ等が再生され、これらの遊技情報がこの遊技情報受信装置を携帯している個々の遊技者に報知される。また、例えば大当たり発生予告時に振動発生装置を作動させることによりその振動が遊技者に体感され興趣を一層増大させる。
【００１９】
また、この携帯型遊技情報受信装置に上記識別コードを予め入力しておくことにより、報知を希望する特定のパチンコ機のみの遊技情報を知ることができ、他のパチンコ機の遊技情報は報知されないようにすることができる。このため、遊技者は自分に興味がないと思われる遊技情報については設定を外せば、情報過多による混乱や煩雑が避けられる。
【００２０】
なお、識別コードについては、パチンコ機の台番号をもってしても、或いは、上記図柄変動表示器１１のデモ画面中に表示するようにしてもよい。また、パチンコ機の前面に赤外線発信装置を設け、この遊技情報受信装置をパチンコ機と対向させることにより該赤外線発信装置から発信された識別コードがこの遊技情報受信装置に受信されるようにしてもよい。
【００２１】
また、請求項４に記載の発明は、携帯型遊技情報受信装置に遊技者が要求する遊技情報を無線発信する要求情報発信手段を設け、遊技情報発信装置はその信号を受信すると要求のあった遊技情報を発信し、携帯型遊技情報受信装置にその遊技情報が受信されることにより液晶画面表示装置２４にその遊技情報が即座に表示されるようにするものである。この場合、遊技者の要求に応じて遊技情報が報知されるので、必要な情報をいわゆるオンデマンドで取得することができ、利便性が一層向上する。
【００２２】
なお、無線発信手段としては、電波によるものの他、赤外線、或いは超音波等の種々の手段を利用することが可能である。また、遊技情報としては、大当たり予告情報、リーチ演出情報に限らず、大当たりの発生回数や発生時期、出球率、各種イベント、新台入替、又は出玉状況、等種々の情報が想定される。
【産業上の利用可能性】
【００２３】
本発明は、パチンコ機に限らず、遊技場に設置されるスロットマシン等の他の遊技機の遊技情報を報知することにも適用できる。
【図面の簡単な説明】
【００２４】
【図１】本発明の実施例であるパチンコ機と遊技情報発信装置のブロック図。
【図２】本発明の実施例である携帯型遊技情報受信装置のブロック図。
【図３】本発明の実施例である携帯型遊技情報受信装置の外観図。
【符号の説明】
【００２５】
１          遊技制御基板
１２        無線発信手段
１３        識別コード設定手段
２１        電波受信回路
２３        設定キー
２４        液晶画面表示装置
２５        音声再生装置
２６        スピーカ
【図１】
2005160730.tif 000003
【図２】
2005160730.tif 000004
【図３】
2005160730.tif 000005